(57)【要約】【課題】出力電圧の安定化を図ることができ、特にモータ制御回路として有用な電源回路を提供する。【解決手段】スイッチング動作を行うスイッチング回路部１２と、キャパシタ２２を含み、前記フィードバックループの位相を補償する位相補償回路部２３と、スイッチング信号の時比率をモニタリングするスイッチングモニタ部２６と、を備え、前記時比率の上限の所定値及び下限の所定値の判定は、前記スイッチングモニタ部２６により行い、前記時比率が上限の所定値以上又は下限の所定値以下になったときに前記位相補償回路部２３をフィードバックループから切断するとともに、前記時比率が前記所定値内に復帰したときに前記位相補償回路部２３をフィードバックループに接続して、キャパシタ２２に蓄積された位相補償電圧の下でスイッチング動作を開始する。【選択図】  図１
2020124042.tif 000002
【特許請求の範囲】
【請求項１】
入力信号をスイッチング動作にて所定の処理を施して出力信号を生成するパワー回路と、前記出力信号の出力値と基準値とを比較して誤差信号を生成するとともに、該誤差信号とキャリア信号とから時比率を決定してスイッチング信号を生成し、該スイッチング信号を前記パワー回路に帰還させてフィードバックループを形成する制御回路と、を備え、
前記パワー回路は、前記スイッチング動作を行うスイッチング回路部を有し、
前記制御回路は、キャパシタを含み、前記フィードバックループの位相を補償する位相補償回路部と、前記スイッチング信号の前記時比率をモニタリングするスイッチングモニタ部と、を有し、
前記時比率の上限の所定値及び下限の所定値の判定は、前記スイッチングモニタ部により行い、
前記時比率が上限の所定値以上又は下限の所定値以下になったときに前記位相補償回路部を前記フィードバックループから切断するとともに、前記時比率が前記上限の所定値と下限の所定値との範囲内に復帰したときに前記位相補償回路部を前記フィードバックループに接続して、前記キャパシタに蓄積された位相補償電圧の下でスイッチング動作を開始する、
ことを特徴とする電源回路。
【請求項２】
前記出力信号と前記基準電圧とを比較する誤差アンプと前記位相補償回路部との間に接続され、前記時比率が上限の所定値又は下限の所定値になったときに、前記位相補償電圧をホールドするサンプルホールド回路を備え、
前記時比率が上限の所定値又は下限の所定値から、前記時比率が前記上限の所定値と下限の所定値との範囲内に復帰したとき、前記ホールドした前記位相補償電圧の状態で位相補償回路部を前記フィードバックループに接続し、前記サンプルホールド回路でホールドした位相補償電圧の下でスイッチング動作を開始する、
ことを特徴とする請求項１に記載の電源回路。
【請求項３】
前記時比率の上限の所定値が１００％で、前記時比率の下限の所定値が０％である、
ことを特徴とする請求項１又は請求項２に記載の電源回路。
【発明の詳細な説明】
【技術分野】
【０００１】
この発明は、電源回路、特に、出力電圧の安定化を図ることができ、モータ制御回路として有用な電源回路に関する。
【背景技術】
【０００２】
電源回路は、出力電圧の安定化のために、出力電圧をモニタする回路を有し、出力電圧を分圧して誤差アンプで基準電圧と比較し、比較の結果ずれている場合、誤差電圧が出力されてフォトカプラを介して、１次側に伝えられる。１次側のＰＷＭコントローラの一方に誤差電圧が入力され、ＰＷＭコントローラの他方に入力されるのこぎり波などのキャリア信号に基づきスイッチング動作の時比率が調整され、この時比率に基づきスイッチング動作を行い、出力電圧を一定に保つという、フィードバックループが形成されるのが一般的である（特許文献１参照）。
【０００３】
例えば、出力電圧が基準電圧より低くなると、誤差電圧が発せられ、この誤差電圧に基づき、ＰＷＭコントローラにより調整された時比率でスイッチング動作が行われる。その結果、スイッチング動作のＯＮ状態の比率が高いスイッチング電圧が発せられ、出力電圧が上昇して基準電圧に近づき誤差電圧が小さくなる。出力電圧が基準電圧を越えると、逆にスイッチング動作のＯＦＦ状態の比率が高いスイッチング電圧が発せられ、出力電圧が下がり基準電圧に近づき誤差電圧が小さくなる。このようにフィードバックループが形成されるため、何らかの外乱が加わったとしても常に時比率が調整され、定常状態が維持される。
【先行技術文献】
【特許文献】
【０００４】
【特許文献１】特許５５９３００１号公報
【発明の概要】
【発明が解決しようとする課題】
【０００５】
ところで、例えば、入力電力が不足しすぎると、時比率が１００％になり、常にＯＮ状態でスイッチング動作が行われることになる。
【０００６】
このとき、定常状態を維持する制御から外れている状態であるため、出力電圧を基準電圧に近づけるため誤差電圧を積分する、コンデンサ（キャパシタ）を用いた積分要素がフィードバックループに存在する場合、制御的には過積分の状態となっており、このような状態で、入力電力が復帰すると、コンデンサは本来のレベルよりも過剰に充電されているため、出力の制御が復帰するまで、すなわち、コンデンサが適正なレベルまでに戻るのに時間がかかってしまい、その間は出力（電圧）が制御できない状態が長く続くという問題があった。
【０００７】
また、出力が過電圧になっている場合、例えば、この電源回路の負荷がモータである場合、そのモータを加速するような外力が加わると、モータは発電機として機能して電源回路の出力に基準電圧を超える過電圧が掛かることがある。このような状態にあっては、電源回路はスイッチング動作を止め、時比率０％となり、同じく制御が外れた状態となってしまい、コンデンサに過剰に積分がかかった状態となってしまう。
【０００８】
このような状態から、出力の過電圧が解消されると、コンデンサが適正な充電状態になるまで時間がかかってしまい、その間は制御ができないという問題があった。
【０００９】
時比率が、０％になったときも、１００％になったときも、その後、入力電圧の復帰又は出力電圧の異常が解消されるまで時間が掛かり、制御不能な状態が続いてしまい安定した電源回路を提供することができなかった。
【００１０】
これらの課題に対処しようとする従来の電源回路にあっては、制御範囲を超えたことを誤差アンプの出力電圧をアナログ的に比較して判定し、制御範囲を超えたと判定したときに、位相補償回路部に対して強制的に放電し、あらかじめ決められた一定電圧に保つ、あるいは一定電流で充電するといった操作をするものがほとんどであり、制御部分を構成する部品の特性値のばらつきや環境温度、継時変化による部品の特性値の変動に対して、適切な判定、および位相補償回路に対する最適な操作を安定的に提供し続けるのは困難であり、結果スイッチング状態への復帰までに時間がかかるという問題は解決されていなかった。
【００１１】
この発明は、スイッチング動作しているか否かというデジタル的な状態でその制御が外れたか否かを判定するため、制御から外れた状態を検出したとき、瞬時に判断することができ、より確実に、かつ迅速にフィードバックループから位相補償回路部の切断、接続を行うことができる。
【００１２】
そこで、この発明の目的は、前記の課題を解決し、安定した電源回路を提供することにある。
【課題を解決するための手段】
【００１３】
前記の課題を解決するために、請求項１の発明は、入力信号をスイッチング動作にて所定の処理を施して出力信号を生成するパワー回路と、前記出力信号の出力値と基準値とを比較して誤差信号を生成するとともに、該誤差信号とキャリア信号とから時比率を決定してスイッチング信号を生成し、該スイッチング信号を前記パワー回路に帰還させてフィードバックループを形成する制御回路と、を備え、前記パワー回路は、前記スイッチング動作を行うスイッチング回路部を有し、前記制御回路は、キャパシタを含み、前記フィードバックループの位相を補償する位相補償回路部と、前記スイッチング信号の前記時比率をモニタリングするスイッチングモニタ部と、を有し、前記時比率の上限の所定値及び下限の所定値の判定は、前記スイッチングモニタ部により行い、前記時比率が上限の所定値以上又は下限の所定値以下になったとき（以下「制御範囲外」という）に前記位相補償回路部を前記フィードバックループから切断するとともに、前記時比率が前記上限の所定値と下限の所定値との範囲内（以下「制御範囲内」という）に復帰したときに前記位相補償回路部を前記フィードバックループに接続して、前記キャパシタに蓄積された位相補償電圧の下でスイッチング動作を開始する、ことを特徴とする。
【００１４】
請求項１の発明では、スイッチング動作の制御範囲か否かを、スイッチング信号を基にスイッチングモニタ部により判定し、スイッチング動作が制御範囲外になったとき、キャパシタを含む位相補償回路部をフィードバックループから切断し、スイッチング動作が制御範囲内である定常状態に復帰したときに、位相補償回路部をフィードバックループに接続して、キャパシタに蓄積された位相補償電圧の下でスイッチング動作を開始する。
【００１５】
請求項２の発明は、請求項１に記載の発明において、前記出力信号と前記基準電圧とを比較する誤差アンプと前記位相補償回路部との間に接続され、前記時比率が上限の所定値又は下限の所定値になったときに、前記位相補償電圧をホールドするサンプルホールド回路を備え、前記時比率が上限の所定値又は下限の所定値から、前記時比率が前記上限の所定値と下限の所定値との範囲内に復帰したとき、前記ホールドした前記位相補償電圧の状態で位相補償回路部を前記フィードバックループに接続し、前記サンプルホールド回路でホールドした位相補償電圧の下でスイッチング動作を開始する、ことを特徴とする。
【００１６】
請求項３の発明は、請求項１または２に記載の発明において、前記時比率の上限の所定値が１００％で、前記時比率の下限の所定値が０％である、ことを特徴とする。
【発明の効果】
【００１７】
請求項１の発明によれば、スイッチング動作の制御範囲か否か、すなわち、前記時比率が上限の所定値以上又は下限の所定値以下になったか否かをスイッチングモニタ部により判定するため、デジタル的な判定を行うことができ、高速での判定を可能としかつ、部品の特性値のばらつきや環境温度、継時変化の影響を受けることなく、制御範囲内である定常状態に復帰した時の出力電圧のオーバーシュート、アンダーシュートを抑制することができ、安定した電源回路を提供することができる。しかも、制御範囲内である定常状態への復帰はキャパシタに蓄積された位相補償電圧の下でなされるため、よりよい状態での復帰を可能とする。
【００１８】
請求項２の発明によれば、制御範囲内である定常状態に復帰したとき、前記位相補償回路部をフィードバックループから切断した時の位相補償電圧の下で復帰できるため、復帰するまでに時間が掛かり、キャパシタの放電、切断するスイッチのリークなどがあったとしても理想的な状態から復帰することができる。
【００１９】
請求項３の発明によれば、時比率を１００％か０％かで判定するため、デジタル制御に適しており、より速く復帰させて制御範囲内である定常状態にすることができる。
【図面の簡単な説明】
【００２０】
【図１】図２〜図４と共に実施の形態１による電源回路を示すものであり、本図は回路図である。
【図２】時比率０％無負荷状態で負荷を掛けたときの各成分の特性を示すグラフ図であり、（ａ）は実施の形態１の電源回路のもので、（ｂ）は無対策の電源回路のものである。
【図３】時比率１００％状態で、入力電圧を上げたときの各成分の特性を示すグラフ図であり、（ａ）は実施の形態１の電源回路のもので、（ｂ）は無対策の電源回路のものである。
【図４】図３と同様に、時比率１００％状態で、入力電圧を上げたときの各成分の特性を示すグラフ図であり、図３（ａ）の時間スケールを拡大したもので、（ｂ）は図３（ａ）より時間幅を４倍したもの（ｃ）は図３（ａ）より時間幅を１００倍にしたものである。
【図５】実施の形態２による電源回路を示すもので、回路図である。
【発明を実施するための形態】
【００２１】
（実施の形態１）
以下、この発明を図示の実施の形態１に基づいて説明する。この実施の形態１はＤＣ−ＤＣコンバータとしてのスイッチングレギュレーションに適用したもので、出力電圧と基準電圧とを比較し、その誤差電圧に基づき、入力電圧にスイッチング動作を加え制御するいわゆるフィードバックループを構成する。
【００２２】
図１において、電源回路１は、入力電圧をスイッチング動作の下で変圧して出力電圧を生成するパワー回路１０と、前記出力電圧と基準電圧とを比較して誤差電圧を生成するとともに、該誤差電圧とキャリア信号とから時比率を決定してスイッチング信号を生成し、該スイッチング信号を前記パワー回路に帰還させてフィードバックループを形成する制御回路２０とを備える。
【００２３】
パワー回路１０は、入力電圧がかかる入力端子１１と、該入力端子１１に入力された電圧をスイッチングさせるスイッチング回路部１２と、スイッチング電圧を整流平滑し降圧された電圧を出力する出力端子１４とを有する。
【００２４】
図中、パワー回路１０の前記スイッチング回路部１２を境に左側部分を入力側、右側部分を出力側といい、制御回路２０においては後述するフォトカプラ２４を境に左側部分を入力側、右側部分を出力側という。
【００２５】
パワー回路１０では、入力端子１１から入力された電圧を、スイッチング回路１２でスイッチングし、整流平滑回路でスイッチング電圧を整流平滑して出力端子１４に出力するようになっている。
【００２６】
制御回路２０は、前記出力端子１４にかかる出力電圧を分圧し、基準電圧と比較する誤差アンプ２１と、キャパシタ２２を含み上記フィードバックループの位相を補償し安定させる位相補償回路部２３と、前記誤差アンプ２１の誤差電圧を入力側に伝達する第１のフォトカプラ２４と、第１のフォトカプラ２４を介して受けた誤差アンプ２１の誤差電圧とのこぎり波とを比較し、前記スイッチング回路部１２を所定値内の範囲の時比率で動作させるＰＷＭコントローラ２５と、前記誤差アンプ２１の誤差電圧が所定値内の範囲の時比率であるかを判定するスイッチングモニタ部２６と、前記スイッチングモニタ部２６で判定し所定値内の時比率でない場合に前記位相補償回路部２３をフィードバックループから切断するための第２のフォトカプラ２７とを有する。
【００２７】
この実施の形態１にあっては、時比率の上限の所定値が１００％、時比率の下限の所定値が０％に設定されている。従って、キャパシタ２２が過充電になっているときは、時比率１００％でスイッチング回路部１２がＯＮ状態を維持しつづけ、キャパシタ２２が過放電になっているときは、時比率０％でスイッチング回路部１２がＯＦＦ状態を維持しつづけられることになる。なお、回路設計上或いは部品の特性上、時比率を１００％や０％にできない場合には、その許容される範囲内の最大又は最小の時比率で設計してもよい。
【００２８】
上述の制御範囲内とは、この上限の所定値と下限の所定値との間の範囲内（時比率１００％及び０％に達しない範囲）において、当該電源回路１の制御が行われている状態であり、制御範囲外とは、制御範囲を逸脱した状態、すなわち、時比率１００％又は０％に達した状態である。
【００２９】
次に実施の形態１の電源回路１の動作について説明する。
【００３０】
先ず、制御範囲内にある状態では、上述した通り、パワー回路１０の入力端子１１に所定値内の範囲の電圧が掛かると、スイッチング回路部１２でスイッチングされ、整流平滑回路を介して出力端子１４に出力電圧が生じる。
【００３１】
また、制御回路２０では、前記出力端子１４にかかる電圧を分圧して、前記誤差アンプ２１により基準電圧と比較される。その結果、出力電圧が基準電圧より低いときは時比率を上げ、基準電圧より高いときは時比率を下げるように制御される。
【００３２】
誤差アンプ２１で比較した得た誤差電圧は、第１のフォトカプラ２４を介して電源回路１の入力側に伝達される。
【００３３】
出力端子１４は、キャパシタ２２を含む位相補償回路部２３に接続されており、誤差アンプ２１の出力電圧がキャパシタ２２に充電される。
【００３４】
また、位相補償回路部２３の後段は第２のフォトカプラ２７の出力側にあるスイッチ部２７ａを介して第１のフォトカプラ２４に接続されている。
【００３５】
また、位相補償回路部２３は、位相のずれを一定限度内に収まるようにしてフィードバックループ内で発振が生じないように位相補償するものでもある。
【００３６】
制御回路２０の入力側では、第１のフォトカプラ２４で受けた誤差電圧を、ＰＷＭコントローラ２５のコンパレータ２５ａに入力され、該コンパレータ２５ａでは誤差電圧と時比率の基準となるのこぎり波（キャリア信号）とが比較され、誤差電圧に応じた時比率のＰＷＭ信号がスイッチング信号としてＰＷＭコントローラ２５から出力される。
【００３７】
時比率が決められるとそのスイッチング信号が、パワー回路１０のスイッチング回路部１２に伝送され、スイッチング回路部１２はこの時比率に基づきスイッチング動作、すなわち、スイッチング回路部１２のＯＮ、ＯＦＦが行われる。
【００３８】
また、ＰＷＭコントローラ２５の出力は、スイッチングモニタ部２６に接続されており、時比率が０％か１００％になったか否かが検知される。このスイッチングモニタ部２６により時比率＝０％又は１００％が検知されると、その出力信号が第２のフォトカプラ２７側に伝送される。なお、上記状態は時比率が制御範囲内（０％，１００％以外）であるため、第２のフォトカプラ２７は動作しない。
【００３９】
次に、時比率が０％（制御範囲外）で、かつ、無負荷状態から、負荷１０Ａをかけたときの電源回路１の動作を、図２とともに説明する。
【００４０】
上述のように出力電圧が過電圧になると、出力電圧を基準電圧に保とうとして、時比率が低下し、時比率０％に達すると制御範囲外となり、このままではスイッチング回路部１２はＯＦＦ状態を維持し続けることになり、位相補償回路部２３のキャパシタ２２が過放電状態となってしまう。
【００４１】
そこで、時比率が０％になると、第２のフォトカプラ２７が動作して、そのスイッチ部２７ａをＯＦＦして位相補償回路部２３をフィードバックループから切断することで、キャパシタ２２の放電が断たれ、その過放電が解消される。
【００４２】
この状態では、誤差アンプ２１による出力電圧と基準電圧との比較（サンプリング）が為されたまま、スイッチング回路部１２は時比率が０％であるためＯＦＦ状態が維持される。
【００４３】
時比率が０％とは、上述のように、出力（負荷）が過電圧になった制御範囲外の状態であり、スイッチングモニタ部２６が時比率０％を検知すると、第２のフォトカプラ２７のスイッチ部２７ａがＯＦＦ状態し、スイッチング動作が行われていない状態となる。
【００４４】
この状態で出力端子１４に負荷をかけると、出力電圧が基準電圧より下がるため、前記誤差アンプ２１により、時比率を上げる方向、すなわち、ＯＮ状態の比率を高くする誤差電圧が、位相補償回路部２３の影響を受けることなく直ちに発せられる。
【００４５】
そして、この誤差電圧は、第１のフォトカプラ２４を介して電源回路１の入力側に伝達される。
【００４６】
電源回路１の入力側では、ＰＷＭコントローラ２５から時比率を上げる方向のスイッチング信号を発せられて、スイッチング回路部１２に伝達され、ＯＮ状態の比率が高いスイッチング動作が開始される。
【００４７】
また、ＰＷＭコントローラ２５のスイッチング信号がスイッチングモニタ部２６に出力されると、第２のフォトカプラ２７を介してスイッチ部２７ａがＯＮにされて、位相補償回路部２３がフィードバックループに接続され、同時に、位相補償が行われる。このとき、位相補償回路部２３がフィードバックループに接続されることにより、キャパシタ２２で蓄えられた位相補償電圧が第１のフォトカプラ２４に出力され、スイッチング動作がその位相補償電圧の下で開始されることになる。
【００４８】
図２は、スイッチング回路部１２の動作が開始された状態における出力電圧の変化をグラフにしたもので、（ａ）は実施の形態１の電源回路、（ｂ）が無対策の電源回路の出力電圧の変化を示す。
【００４９】
図中、上段グラフが出力電圧を、中段グラフがスイッチング状態を、下段グラフが負荷電流を示す。中段グラフの直線部分（左側）が非スイッチング状態を、やや幅広でハッチングで示す部分（右側）がスイッチング状態を示す。
【００５０】
また、グラフ図において、上段グラフの出力電圧のボルテージは基準電圧に対する差分を示す。
【００５１】
この実施の形態１の電源回路１の場合（図２（ａ））、負荷をかけたとほぼ同時に、出力電圧は最小値−４４０ｍＶ，最大値１２０ｍＶの変化であったのに対して、無対策の電源回路にあっては、出力電圧が最小値−２．２Ｖ，最大値８０ｍＶの変化であった。
【００５２】
このように実施の形態１の電源回路１によれば、無対策の電源回路に比較して出力電圧の変化率を約１／５に抑えることができ、出力電圧がより安定した電源回路であることが理解できる。
【００５３】
また次に、入力電圧が不足した状態における電源回路１の動作について図３及び図４とともに説明する。図３及び図４は、入力電圧が２５．６Ｖから３７．６Ｖに復帰したものである。
【００５４】
上述のように入力電圧が不足すると、出力電圧を基準電圧に保とうとして、時比率が上昇し、時比率１００％に達すると制御範囲外となり、このままではスイッチング回路部１２はＯＮ状態を維持し続けることになり、位相補償回路部２３のキャパシタ２２が過充電状態となってしまう。
【００５５】
そこで、時比率が１００％になると、第２のフォトカプラ２７が動作して、そのスイッチ部２７ａをＯＦＦして位相補償回路部２３をフィードバックループから切断することで、キャパシタ２２への充電が断たれ、その過充電が解消される。
【００５６】
この状態では、誤差アンプ２１による出力電圧と基準電圧との比較（サンプリング）が為されたまま、スイッチング回路部１２は時比率が１００％であるためＯＮ状態が維持される。
【００５７】
そして、時比率が１００％とは、上述のように、入力電圧が低下して、スイッチング回路部１２がＯＮ状態を維持している状態で、スイッチングモニタ部２６により時比率１００％を検知して、第２のフォトカプラ２７のスイッチ部２７ａがＯＦＦの状態で制御範囲外となり、スイッチング動作が行われていない状態である。
【００５８】
この状態で入力電圧が上昇すると、出力電圧が一瞬、基準電圧より上がるため、前記誤差アンプ２１により、時比率を下げる方向、すなわち、ＯＦＦ状態の比率を高くする誤差電圧が、位相補償回路部２３の影響を受けることなく直ちに発せられる。
【００５９】
そして、この誤差電圧は、第１のフォトカプラ２４を介して電源回路１の入力側に伝達される。
【００６０】
電源回路１の入力側では、ＰＷＭコントローラ２５が時比率を下げる方向の信号を受け、スイッチング回路部１２に伝達され、ＯＦＦ状態の比率が高いスイッチング動作が開始される。
【００６１】
また、ＰＷＭコントローラ２５のＰＷＭ信号がスイッチングモニタ部２６に出力されると、第２のフォトカプラ２７を介してスイッチ部２７ａがＯＮにされて、位相補償回路部２３がフィードバックループに接続され、同時に動作して、スイッチング動作の位相補償が行われる。このとき、位相補償回路部２３がフィードバックループに接続されることにより、キャパシタ２２で蓄えられた位相補償電圧が第１のフォトカプラ２４に出力され、スイッチング動作がその位相補償電圧の下で開始されることになる。
【００６２】
図３、図４は、スイッチング回路部１２の動作が開始された状態における出力電圧の変化をグラフ図にしたもので、図３（ａ）、図４（ａ）（ｂ）は実施の形態１の電源回路１のものを、図３（ｂ）が無対策の電源回路のものを示す。
【００６３】
図中、上段グラフが出力電圧を、中段グラフがスイッチング状態を、下段グラフが入力電圧を示す。中段グラフの直線部分が非スイッチング状態、やや幅広でハッチングで示す部分がスイッチング状態を示す。
【００６４】
なお、スイッチング状態を示す中段グラフで、入力電圧が復帰するまで、時比率１００％であるが非スイッチング状態であるため直線で示され、入力電圧の復帰とほぼ同時にハッチングで示すスイッチング状態になったものである。
【００６５】
この実施の形態１の電源回路１の場合（図３（ａ））、入力電圧を上げたとほぼ同時に、出力電圧は２．４Ｖに上昇後直ちに下がり、−３６０ｍＶまで落ちた後、再び僅かに上昇するもののスイッチング動作が開始されると基準値に復帰した。
【００６６】
これに対して、無対策の電源回路にあっては、出力電圧が一旦４．２４Ｖに一気に上昇した後、徐々に落ちて−２．２０Ｖまで落ち、その後再び上昇し基準値を超えたときにスイッチング動作が開始されて、その後やや落ちて基準値へと復帰した。
【００６７】
この図３（ａ）と（ｂ）とを比較して相違する点は、出力電圧の変化量もさることながら、基準電圧に至るまでの時間である。実施の形態１の電源回路１にあっては一瞬で基準電圧に復帰しているが、無対策の電源回路にあっては実施の形態１の電源回路１の数百倍の時間がかかっているのが分かる。図３（ａ）と（ｂ）とは時間幅が同じスケールで示したものであるが、図４（ａ）は図３（ａ）より時間幅をやや拡大（４倍）したもので、図４（ｂ）は時間幅をさらに拡大（１００倍）したものである。
【００６８】
このように実施の形態１の電源回路１によれば、無対策の電源回路に比較して入力電圧の復帰後の出力電圧がスイッチング状態にあるまでの時間が数百倍も早く、出力電圧がより安定した電源回路であることが理解できる。
【００６９】
（実施の形態２）
以下、この発明を図示の実施の形態２に基づいて説明する。
【００７０】
図５は、この実施の形態２に係る電源回路２を示す回路図である。この実施の形態２では、制御範囲から逸脱した時点の、位相補償回路部２３のキャパシタ２２の電圧をホールドするサンプルホールド回路３０を有する点で上記実施の形態１と構成が異なり、よって、実施の形態１と同等の構成については、同一符号を付することでその説明を省略する。
【００７１】
前記第２のフォトカプラ２７には２つのスイッチ部２７ａ、２７ｂが備えられ、一方のスイッチ部２７ａは前記実施の形態１のものと同様に、フィードバックループからキャパシタ２２を含む位相補償回路部２３の切断、接続するもので、他方のスイッチ部２７ｂが前記サンプルホールド回路３０に組み込まれたスイッチ部である。
【００７２】
サンプルホールド回路３０の一端は、位相補償回路部２３のキャパシタ２２と第２のフォトカプラ２７のスイッチ部２７ａとの間に接続され、他端は、第２のフォトカプラ２７のスイッチ部２７ａと第１のフォトカプラ２４のスイッチ部２４ａとの間に接続されている。
【００７３】
そして、時比率０％又は時比率１００％になったとき、第２のフォトカプラ２７のスイッチ部２７ａがＯＦＦになって位相補償回路部２３がフィードバックループから切断すると同時に、前記第２のフォトカプラ２７のスイッチ２７ｂがＯＦＦになって、位相補償回路部２３のキャパシタ２２の蓄積された位相補償電圧を保持（ホールド）する。
【００７４】
このサンプリング状態を維持するのは、キャパシタ２２の自己放電、スイッチのリーク電流によりキャパシタ２２電圧が変動していたとしても、スイッチング制御が復帰した時に、サンプリングホールドした位相補償電圧の下でスイッチング動作を行うことができ、フィードバック制御として理想に近い復帰状態であるとともに、出力電圧のオーバーシュート、アンダーシュートを抑制することができる。なお、サンプルホールド回路３０の遅延が問題にならない場合は、スイッチ部２７ａを省略することが可能である。
【００７５】
このように、実施の形態２の電源回路２によれば、スイッチング制御の復帰時のオーバーシュートやアンダーシュートを抑制できるため、電源回路２としての安定性を更に増すことができる。
【００７６】
以上、この発明の実施の形態について説明したが、具体的な構成は、上記の実施の形態に限られるものではなく、この発明の要旨を逸脱しない範囲の設計の変更等があっても、この発明に含まれる。例えば、上記２つの実施の形態１、２にあっては、非絶縁型の電源回路に用いたが、本発明はこれに限らず、絶縁型の電源回路にも適用することができる。また、電圧電源回路について説明したが、電流を制御する電流電源回路にも適用することができる。
【符号の説明】
【００７７】
１          電源回路
２          電源回路
１０        パワー回路
１２        スイッチング回路部
２０        制御回路
２１        誤差アンプ
２２        キャパシタ
２３        位相補償回路部
２６        スイッチングモニタ部
３０        サンプルホールド回路
【図１】
2020124042.tif 000003
【図２】
2020124042.tif 000004
【図３】
2020124042.tif 000005
【図４】
2020124042.tif 000006
【図５】
2020124042.tif 000007